(57)【要約】【課題】本発明の目的は知能型サイクリング装置の無線通信システムおよび方法を提供することにある。【解決手段】本発明の知能型サイクリング装置の無線通信システムは、サイクリングをするとき補助的サービスを提供する複数個の外部装置と、第一データ通信モジュールと第二データ通信モジュールを具備する１個の無線通信装置と、第一通信プロトコルまたは第二通信プロトコルがインストールされた１個の端末装置とを含む。端末装置は、第一通信プロトコルまたは第二通信プロトコルにより第一または第二データ通信モジュールと無線接続を形成し、前記複数個の外部装置と通信をする。本発明の知能型サイクリング装置の無線通信システムおよび方法は容易に用い、端末装置側の管理を簡単にし、端末装置の電気消耗を低減することができる。【選択図】図１
2018061222.tif 000002
【特許請求の範囲】
【請求項１】
知能型サイクリング装置の無線通信システムであって、
サイクリングをするとき補助的サービスを提供する複数個の外部装置と、
第一通信プロトコルをサポートする１個の第一データ通信モジュールと第二通信プロトコルをサポートする１個の第二データ通信モジュールとを含む１個の無線通信装置であって、前記第二データ通信モジュールは設備モジュールおよび前記外部装置と接続を形成するメインフレームモジュールを具備する１個の無線通信装置と、
第一通信プロトコルがインストールされるか或いは第二通信プロトコルがインストールされた１個の端末装置であって、第一通信プロトコルがインストールされた端末装置は第一データ通信モジュールと無線接続を形成し、第二通信プロトコルがインストールされた端末装置は前記設備モジュールにより第二データ通信モジュールと無線接続を形成する１個の端末装置とを含むことを特徴とする知能型サイクリング装置の無線通信システム。
【請求項２】
前記端末装置はアンドロイドオペレーティングシステムがインストールされる或いはｉＯＳがインストールされた端末装置であり、前記第一データ通信モジュールはＳＰＰブルートゥースチップを含み、前記第二データ通信モジュールはＢＬＥブルートゥースチップを含むことを特徴とする請求項１に記載の知能型サイクリング装置の無線通信システム。
【請求項３】
非同期送受信機を更に含み、前記第一データ通信モジュールは前記非同期送受信機によって前記第二データ通信モジュールに接続されることを特徴とする請求項１に記載の知能型サイクリング装置の無線通信システム。
【請求項４】
前記システムはサイクリング実施者が用いるヘルメットを更に含むことを特徴とする請求項１に記載の知能型サイクリング装置の無線通信システム。
【請求項５】
前記外部装置はブルートゥースイヤホンを含み、該ブルートゥースイヤホンを前記ヘルメット上に取り付けることを特徴とする請求項１に記載の知能型サイクリング装置の無線通信システム。
【請求項６】
前記外部装置は心拍数測定器を含むことを特徴とする請求項１に記載の知能型サイクリング装置の無線通信システム。
【請求項７】
請求項１に記載される知能型サイクリング装置の無線通信方法であって、
前記無線通信装置をオンすることにより前記第一データ通信モジュールと前記第二データ通信モジュールが監視状態になるようにするステップと、
前記端末装置は前記第一通信プロトコルによって前記第一データ通信モジュールに接続されるか或いは前記第二通信プロトコルによって前記第二データ通信モジュールに接続されるステップと、
前記第一データ通信モジュールと前記第二データ通信モジュールにおいて、接続された１つのデータ通信モジュールは接続されていない他のデータ通信モジュールに指令を送信するステップと、
接続されていない第一データ通信モジュールまたは第二データ通信モジュールの設備モジュールは前記指令によってオフ状態になるステップとを含むことを特徴とする知能型サイクリング装置の無線通信方法。
【請求項８】
前記無線通信方法は、前記外部装置が前記第二通信プロトコルとメインフレームモジュールによって前記第二データ通信モジュールに接続されるステップを更に含むことを特徴とする請求項７に記載の無線通信方法。
【請求項９】
前記無線通信方法は、前記外部装置と端末装置との間のバーチャル接続関係を端末装置の表示部に表示するステップを更に含むことを特徴とする請求項７に記載の無線通信方法。
【請求項１０】
前記無線通信方法は、端末装置と無線通信装置との間の心拍信号切断されるとき、前記無線通信装置の作業状態をリセットするステップを更に含むことを特徴とする請求項７に記載の無線通信方法。
【発明の詳細な説明】
【技術分野】
【０００１】
本発明は、通信システムおよび通信方法に関し、特に知能型サイクリング装置の無線通信システムおよび方法に関するものである。
【背景技術】
【０００２】
現在、サイクリングの愛好者は、サイクリングをするとき色々なサイクリング装置を用いる傾向にある。サイクリング装置は有線またはブルートゥースによってスマートフォンに接続されることにより、サイクリングの運動データを獲得し、サイクリング装置を容易に操作することができる。しかしながら、従来のサイクリング装置は次の問題を有している。１つ目は、ブルートゥースによって複数個の知能型サイクリング装置をスマートフォンに接続させるとき、スマートフォンで複数個の知能型サイクリング装置を管理する必要があるので、管理が面倒であり、使用上の利便性がよくなく、複数の接続によってスマートフォンの電気消耗が多くなることである。２つ目は、スマートフォンのアンドロイドは各スマートフォンのメーカによって編集され、アンドロイドのバージョン、ブルートゥースのチップの仕様、ブルートゥースのコードの仕様などが異なることにより、多いスマートフォンをＢＬＥ（Ｂｌｕｅｔｏｏｔｈ  Ｌｏｗ  Ｅｎｅｒｇｙ、ブルートゥースローエナージー）通信ネットワークに容易に接続させることができないことである。すなわち、ＢＬＥ通信ネットワークとアンドロイドとの間の適合性がよくないことである。３つ目は、現在、スマートフォンと知能型装置（例えば知能型ヘルメット）を接続させるとき複数のステップをしなければならないことである。具体的に、まず、スマートフォンでブルートゥースローエナージー通信ネットワークを検出し、次にブルートゥースローエナージー通信ネットワークにおいてイヤホンのＭＡＣアドレス（物理アドレス）を検出し、最後にＭＡＣアドレスによってブルートゥースイヤホンを接続させる。これにより、使用上の利便性が悪くなるおそれがある。
【発明の概要】
【発明が解決しようとする課題】
【０００３】
本発明の目的は、複数のサイクリング装置を用いるとき、サイクリング装置の無線通信システムおよび方法の使用が面倒であり、使用上の利便性がよくない問題を解決することにある。
【課題を解決するための手段】
【０００４】
前記課題を解決するため、本発明の次の技術的事項を提供する。
本発明の知能型サイクリング装置の無線通信システムは、複数個の外部装置と、１個の無線通信装置と、１個の端末装置とを含む。前記複数個の外部装置はサイクリングをするとき補助的サービスを提供する。前記１個の無線通信装置は第一通信プロトコルをサポートする第一データ通信モジュールと第二通信プロトコルをサポートする第二データ通信モジュールを含み、第二データ通信モジュールは設備モジュールとメインフレームモジュールを含み、該メインフレームモジュールは前記外部装置と接続を形成することに用いられる。端末装置には第一通信プロトコルがインストールされるか或いは第二通信プロトコルがインストールされ、第一通信プロトコルがインストールされた端末装置は第一データ通信モジュールと無線接続を形成し、第二通信プロトコルがインストールされた端末装置は前記設備モジュールにより第二データ通信モジュールと無線接続を形成する。
【０００５】
前記知能型サイクリング装置の無線通信方法であって、前記無線通信装置をオンすることにより前記第一データ通信モジュールと前記第二データ通信モジュールが監視状態になるようにするステップと、前記端末装置は前記第一通信プロトコルにより前記第一データ通信モジュールと接続を形成するか或いは前記第二通信プロトコルにより前記第二データ通信モジュールと接続を形成するステップと、前記第一データ通信モジュールと前記第二データ通信モジュールにおいて、接続された１つのデータ通信モジュールは接続されていない他のデータ通信モジュールに指令を送信するステップと、接続されていない第一データ通信モジュールまたは第二データ通信モジュールの設備モジュールは前記指令によってオフ状態になるステップとを含む。
【発明の効果】
【０００６】
従来の技術と比較してみると、本発明の知能型サイクリング装置の無線通信システムおよびその方法において、端末装置は無線通信装置により外部装置と接続を形成する。無線通信装置が二種の無線通信プロトコルを同時サポートするので、本発明の無線通信システムは二種の無線通信プロトコルをサポートする端末装置に迅速に接続され、端末装置側の管理を簡単にし、端末装置の電気消耗を低減することができる。
【０００７】
上述した部分において本発明の概要を説明してきたが、本発明の技術的事項を詳細に説明して当業者が本発明を実施することができる程度にし、かつ本発明の目的、特徴および発明の効果をより詳細に示すため、以下、好適な実施例と図面により本発明をより詳細に説明する。
【図面の簡単な説明】
【０００８】
【図１】本発明の第一実施例に係る知能型サイクリング装置の無線通信システムの構造を示す図である。
【図２】本発明の第一実施例に係る知能型サイクリング装置の無線通信システムの使用状態を示す図である。
【図３】心拍数測定器が測定した数値が図１の端末装置に表示されることを示す図である。
【図４】外部装置と端末装置との間のバーチャル接続関係が端末装置の表示部に表示されることを示す図である。
【図５】本発明の第二実施例に係る知能型サイクリング装置の無線通信方法を示す流れ図である。
【発明を実施するための形態】
【０００９】
本発明をよく理解してもらうため、以下、図面によって本発明をより詳細に説明する。本発明の図面に本発明の好適な実施例が記載されているが、本発明は色々な実施形態で実施することができ、下記の実施形態にのみ限定されるものではない。下記の実施形態を提供する目的は、本発明の技術的事項をよく理解してもらうためである。
【００１０】
特別な説明がない限り、本文に記載されている技術的用語および科学的用語は、本発明の技術分野の技術者が常用する用語の意味を示す。本発明の明細書に記載されている技術的用語は、本発明の具体的な実施例を説明するものであるが、本発明を限定するものではない。本文に記載されている用語「および／或いは」は、一個または複数個の項目において、一部分の項目で組み合わせられた組合せまたはすべての項目で組み合わせられた組合せを意味する。
【００１１】
図１を参照すると本発明の第一実施例に係る知能型サイクリング装置の無線通信システム１００は、複数個の外部装置１０１、１個の無線通信装置１０２および１個の端末装置１０３を含む。
【００１２】
複数個の外部装置１０１は、サイクリングをするとき補助的サービス、例えば、測定、制御、娯楽などのサービスを提供する。複数個の外部装置１０１は、センサー、表示装置、ブルートゥースイヤホンまたは制御装置を含む。前記制御装置は、サイクリング装置に設けられた設備を制御する装置、例えばランプの方向を制御する装置である。この装置はサイクリング実施者の体に掛けるか或いはサイクリング装置に付けることができる。例えば、ブルートゥースイヤホンをサイクリング実施者の耳に掛け、無線通信装置１０２と端末装置１０３を接続させた後、電話を掛けるか或いは音楽を聴くことができる。また、センサーをサイクリング実施者の腕に掛けることにより、サイクリング実施者の体の状況を測定することができる。複数個の外部装置１０１は、ウェアラブル端末、血糖測定器などの装置を更に含むことができる。
【００１３】
無線通信装置１０２は第一データ通信モジュール２１と第二データ通信モジュール２２を含む。第一データ通信モジュール２１は、第一通信プロトコルがインストールされた端末装置１０３と無線接続を形成することができる。第二データ通信モジュール２２は相互の通信をする設備モジュール２２０とメインフレームモジュール２２２を含む。設備モジュール２２０は第二通信プロトコルがインストールされた端末装置１０３と無線接続を形成することができる。前記メインフレームモジュール２２２は複数個の外部装置１０１と無線接続を形成し、前記第二データ通信モジュール２２と第一データ通信モジュール２１とは互いに通信をすることができる。
【００１４】
本発明の実施例において、第一データ通信モジュール２１はＳＰＰ（Ｓｅｒｉａｌ  Ｐｏｒｔ  Ｐｒｏｆｉｌｅ）通信プロトコルが基づいたブルートゥースチップを含み、第二データ通信モジュール２２はＢＬＥ（Ｂｌｕｅｔｏｏｔｈ  Ｌｏｗ  Ｅｎｅｒｇｙ）通信プロトコルが基づいたブルートゥースチップを含む。設備モジュール２２０とメインフレームモジュール２２２は、アプリケーション層（Ａｐｐｌｉｃａｔｉｏｎ  Ｌａｙｅｒ）上に設けられるバーチャルモジュールであり、ブルートゥースチップによるモジュールである。
【００１５】
本発明の実施例において、第一データ通信モジュール２１と第二データ通信モジュール２２はＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ、非同期送受信機）によって互いに通信をするか、或いは他の方式によって互いに通信をすることができる。これによって第二データ通信モジュール２２と第一データ通信モジュール２１は相手の状態を検出することができる。例えば、相手と所定の端末装置との間の無線接続を検出することができる。
【００１６】
端末装置１０３は、スマートフォン、タブレットなどの携帯式端末であり、第一通信プロトコルと第二通信プロトコルをサポートする。端末装置１０３がサポートする通信プロトコルの種類はオペレーティングシステムの種類によって決定され、該オペレーティングシステムはｉＯＳ、Ａｎｄｒｏｉｄ、Ｗｉｎｄｏｗｓ  ＰｈｏｎｅまたはＢｌａｃｋＢｅｒｒｙ  ＯＳであるか或いは他のオペレーティングシステムであることができる。本実施例において、端末装置１０３はＡｎｄｒｏｉｄ型スマートフォンであり、ＳＰＰ通信プロトコル（第一通信プロトコル）をサポートするが、端末装置１０３はｉＯＳ型スマートフォンであり、ＢＬＥ通信プロトコル（第二通信プロトコル）をサポートすることもできる。
【００１７】
端末装置がＳＰＰ通信プロトコルをサポートするとき、端末装置１０３は第一データ通信モジュール２１を介して無線通信装置１０２と無線接続を形成する。第二通信プロトコルをサポートするとき、端末装置は設備モジュール２２０を介して第二データ通信モジュール２２と無線接続を形成する。前記複数個の外部装置１０１はメインフレームモジュール２２２を介して第二データ通信モジュール２２と無線接続を形成する。
【００１８】
端末装置１０３は、Ａｎｄｒｏｉｄオペレーティングシステム（ブルートゥースのＳＰＰ通信プロトコルに対応）を採用するか或いはｉＯＳオペレーティングシステム（ブルートゥースのＢＬＥ通信プロトコルに対応）を採用するとき、常に無線通信装置１０２を介して複数個の外部装置１０１と接続を形成し、複数個の外部装置１０１に対して操作を実施することができる。
【００１９】
他の実施例において、無線通信装置１０２は他の無線通信プロトコルをサポートするデータ通信モジュール（チップ）を更に含み、これによって赤外線、Ｚｉｇｂｅｅなどの接続をサポートすることができる。外部装置１０１は他の無線通信プロトコルによって無線通信装置１０２と接続を形成することができる。
【００２０】
上述したとおり、本発明の第一実施例に係る知能型サイクリング装置の無線通信システム１００は無線通信装置１０２により外部装置１０１と接続を形成する。無線通信装置１０２は二種の無線通信プロトコルを同時サポートするので、本発明の無線通信システムは二種の無線通信プロトコルをサポートする端末装置１０３に迅速に接続され、端末装置１０３側の管理を簡単にし、端末装置１０３の電気消耗を低減することができる。
【００２１】
好ましい実施例において、無線通信装置１０２と端末装置１０３は第一データ通信モジュール２１と第二データ通信モジュール２２のいずれか１つのメインフレームモジュール２２２によって無線接続されるとき、第一データ通信モジュール２１と第二データ通信モジュール２２の他の１つのメインフレームモジュール２２２はオフ指令を受ける。これにより、無線通信装置１０２の電気消耗を低減し、間違って接続された端末装置１０３以外の端末に接続され、余計な問題の発生を防止することができる。
【００２２】
図２を参照する。サイクリング実施者の利便性を向上させるため、本実施例の知能型サイクリング装置の無線通信システム１００はヘルメット３０を更に含むことができる。ヘルメットに無線通信装置１０２を取り付けるか或いはヘルメットでサイクリング実施者の生理的状況を測定するとともにサイクリング実施者の頭部を保護することができる。外部装置１０１は例えばブルートゥースイヤホンであり、これをヘルメット３０上に直接取り付けることができる。
【００２３】
図２に示すとおり、本実施例の知能型サイクリング装置の無線通信システム１００はサイクリング装置、例えば自転車１２０を更に含み、前記無線通信装置１０２を自転車１２０のハンドルまたはフレームに取り付けることができる。前記無線通信装置１０２を自転車の他の箇所に取り付けてもよい。
【００２４】
本発明の実施形態において、外部装置１０１は、心拍数測定器１０１Ａとブルートゥースイヤホン１０１Ｂを含み、メインフレームモジュール２２２によって第二データ通信モジュール２２に無線接続されることができる。他の実施例において、外部装置１０１は、ウェアラブル端末、血糖測定器などを更に含むことができる。ウェアラブル端末と血糖測定器をサイクリング実施者の腕に掛けることにより、サイクリング実施者の生理的状況を測定することができる。
【００２５】
無線通信システムを使用するとき、心拍数測定器１０１Ａで心拍数を測定し、測定された数値は無線通信装置１０２の第二データ通信モジュール２２に送信される。測定された数値はＳＰＰ通信プロトコルによって端末装置１０３（端末装置１０３がＡｎｄｒｏｉｄオペレーティングシステムを採用する場合）に送信されるか、或いはＢＬＥ通信プロトコルによって端末装置１０３（端末装置１０３がｉＯＳオペレーティングシステムを採用する場合）に送信される。
【００２６】
図３に示すとおり、測定された数値は端末装置１０３の表示部１０３Ａに表示される（図３に示される心拍数は１２０ＢＰＭであり、通常の数値より大きい）。実際の応用において、測定された数値は通常の数値より大きい場合がある。このとき、端末装置１０３は休憩したほうがよいというメッセージを形成してユーザー２００に送信する。
【００２７】
メッセージは無線通信装置１０２によってブルートゥースイヤホン１０１Ｂに送信されることができる。端末装置１０３がＡｎｄｒｏｉｄオペレーティングシステムを採用する場合、メッセージは第一データ通信モジュール２１に送信されるだけでなく、第二データ通信モジュール２２にも送信され、その後端末装置１０３からのメッセージはブルートゥースイヤホン１０１Ｂに送信される。端末装置１０３がｉＯＳオペレーティングシステムを採用する場合、メッセージは第二データ通信モジュール２２に直接送信され、その後端末装置１０３からのメッセージはブルートゥースイヤホン１０１Ｂに送信される。ブルートゥースイヤホン１０１Ｂは音によってメッセージをユーザー２００に送信することができる。メッセージは例えば「休憩しなさい」という音であることができる。ブルートゥースイヤホン１０１Ｂによって電話にでるか或いは音楽を聞くことができる。
【００２８】
図４を参照する。本実施例において、外部装置１０１が無線通信装置１０２によって端末装置１０３に接続された後、外部装置１０１と端末装置１０３との間のバーチャル接続関係は端末装置１０３の表示部１０３Ｂに表示されることができる。具体的に、端末装置１０３がｉＯＳスマートフォンである場合、外部装置１０１からのデータは無線通信装置１０２に送信され、データとアイディー（ＩＤ）は第二通信プロトコルに合うように包装され、かつ第二データ通信モジュール２２によって端末装置１０３に送信される。
【００２９】
端末装置１０３は、バーチャル駆動モジュール（図示せず）により包装されたデータを解凍し、かつこれを表示部１０３Ｂに表示する。ユーザーが表示部１０３Ｂ上のボタンをクリックするとき、外部装置１０１にメッセージが送信される。メッセージとアイディーは第二通信プロトコルに合うように包装され、かつ第二データ通信モジュール２２に送信され、第二データ通信モジュール２２は包装されたメッセージを解凍した後、該メッセージを外部装置１０１に送信する。これにより外部装置１０１と端末装置１０３との間の交流を実現することができる。
【００３０】
他の実施例において、端末装置１０３がＡｎｄｒｏｉｄスマートフォンである場合、外部装置１０１からのデータは第二データ通信モジュール２２に送信され、かつＵＡＲＴ２３０によって第一データ通信モジュール２１に送信される。データとアイディーは第一通信プロトコルに合うように包装され、かつ第一データ通信モジュール２１によって端末装置１０３に送信される。端末装置１０３のバーチャル駆動モジュール（図示せず）は包装されたデータを解凍し、かつこれを表示部１０３Ｂに表示する。ユーザーが表示部１０３Ｂ上のボタンをクリックすることにより、外部装置１０１にメッセージを送信することができる。メッセージとアイディーは第一通信プロトコルに合うように包装され、かつ第一データ通信モジュール２１に送信され、第一データ通信モジュール２１は包装されたメッセージを解凍した後、ＵＡＲＴ２３０によって該メッセージを第二データ通信モジュール２２に送信する。その後、第二データ通信モジュール２２はメッセージを外部装置１０１に送信する。これにより外部装置１０１と端末装置１０３との間の交流を実現することができる。
【００３１】
（第二実施例）
図５を参照すると、本発明の第二実施例において、第一実施例の知能型サイクリング装置の無線通信システム１００の通信方法を提供する。該方法は次のステップＳ１〜Ｓ４を含む。すなわち、
無線通信装置をオンすることにより第一データ通信モジュールと第二データ通信モジュールが監視状態になるようにするステップＳ１と、
端末装置は第一通信プロトコルにより前記第一データ通信モジュールと接続を形成するか或いは第二通信プロトコルにより前記第二データ通信モジュールと接続を形成するかステップＳ２と、
第一データ通信モジュールと第二データ通信モジュールにおいて、接続された１つのデータ通信モジュールは接続されていない他のデータ通信モジュールに指令を送信するステップＳ３と、
接続されていない第一データ通信モジュールまたは第二データ通信モジュールの設備モジュールは前記指令によってオフ状態になるステップＳ４とを含む。
【００３２】
ステップＳ１において、ユーザーが無線通信装置１０２をオンするとき、第一データ通信モジュール２１と第二データ通信モジュール２２もオンされる。第一データ通信モジュール２１と第二データ通信モジュール２２が監視状態になるとき、第一データ通信モジュール２１と第二データ通信モジュール２２は、端末装置１０３と外部装置１０１から接続請求のメッセージをもらう。
【００３３】
ステップＳ２において、端末装置１０３は第一または第二通信プロトコルによって第一または第二データ通信モジュール２１、２２と接続を形成する。
【００３４】
端末装置１０３が第一通信プロトコルをサポートするとき、端末装置は第一データ通信モジュール２１と接続関係を形成し、端末装置１０３が第二通信プロトコルをサポートするとき、端末装置は第二データ通信モジュール２２と接続関係を形成する。
【００３５】
本実施例において、第一データ通信モジュール２１はＳＰＰ通信プロトコルをサポートし、第二データ通信モジュール２２はＢＬＥ通信プロトコルをサポートする。端末装置１０３にＡｎｄｒｏｉｄオペレーティングシステムがインストールされる（ブルートゥースのＳＰＰ通信プロトコルがインストールされる）とき、端末装置は第一データ通信モジュール２１と無線接続を形成する。端末装置１０３にｉＯＳオペレーティングシステムがインストールされる（ブルートゥースのＢＬＥ通信プロトコルがインストールされる）とき、端末装置は設備モジュール２２０によって第二データ通信モジュール２２と無線接続を形成する。
【００３６】
本実施例において、前記方法は、外部装置１０１が前記第二通信プロトコルとメインフレームモジュール２２２によって前記第二データ通信モジュール２２に無線接続されるステップを更に含むことができる。
【００３７】
ステップＳ３において、第一または第二データ通信モジュール２１、２２において、接続された１つのデータ通信モジュールは接続されていない他のデータ通信モジュールに指令を送信する。
【００３８】
本発明を使用するとき、第一データ通信モジュール２１が外部装置１０１に接続されると、第一データ通信モジュールは第二データ通信モジュール２２に指令を送信する。第二データ通信モジュール２２の設備モジュール２２０が外部装置１０１に接続されると、第二データ通信モジュールは第一データ通信モジュール２１に指令を送信する。
【００３９】
ステップＳ４において、接続されていない第一データ通信モジュール２１または第二データ通信モジュール２２の設備モジュール２２０は前記指令によってオフ状態になる。これにより、無線通信装置１０２の電気消耗を低減し、間違って他の端末装置１０３に接続されることにより余計な問題が発生することを避けることができる。
【００４０】
本実施例において、第一データ通信モジュール２１と端末装置１０３との間の接続または第二データ通信モジュール２２と端末装置１０３との間の接続が切断されるとき、無線通信装置１０２の作業状態はリセットされる。すなわち、本実施例の方法は無線通信装置１０２の作業状態をリセットするステップＳ５を更に含むことができる。
【００４１】
一実施例において、第一データ通信モジュール２１と端末装置１０３との間の接続または第二データ通信モジュール２２と端末装置１０３との間の接続が切断されるとき、端末装置１０３から無線通信装置１０２への心拍信号も切断される。すなわち、無線通信装置１０２は端末装置１０３から心拍信号を受信することができない。無線通信装置１０２が所定の時間内に端末装置１０３から心拍信号を受信していないとき、無線通信装置１０２の作業状態はリセットされる。第一および第二データ通信モジュール２１、２２は再び監視状態になる。
【００４２】
図４を参照する。本実施例において、外部装置１０１が無線通信装置１０２によって端末装置１０３に接続された後、外部装置１０１と端末装置１０３との間のバーチャル接続関係は端末装置１０３の表示部１０３Ｂに表示されることができる。具体的に、端末装置１０３がｉＯＳスマートフォンである場合、外部装置１０１からのデータは無線通信装置１０２に送信され、データとアイディー（ＩＤ）は第二通信プロトコルに合うように包装され、かつ第二データ通信モジュール２２によって端末装置１０３に送信される。
【００４３】
端末装置１０３は、バーチャル駆動モジュール（図示せず）により包装されたデータを解凍し、かつこれを表示部１０３Ｂに表示する。ユーザーが表示部１０３Ｂ上のボタンをクリックするとき、外部装置１０１にメッセージが送信される。メッセージとアイディーは第二通信プロトコルに合うように包装され、かつ第二データ通信モジュール２２に送信され、第二データ通信モジュール２２は包装されたメッセージを解凍した後、該メッセージを外部装置１０１に送信する。これにより外部装置１０１と端末装置１０３との間の交流を実現することができる。
【００４４】
他の実施例において、端末装置１０３がＡｎｄｒｏｉｄスマートフォンである場合、外部装置１０１からのデータは第二データ通信モジュール２２に送信され、かつＵＡＲＴ２３０によって第一データ通信モジュール２１にも送信される。データとアイディーは第一通信プロトコルに合うように包装され、かつ第一データ通信モジュール２１によって端末装置１０３に送信される。端末装置１０３のバーチャル駆動モジュール（図示せず）は包装されたデータを解凍し、かつこれを表示部１０３Ｂに表示する。ユーザーが表示部１０３Ｂ上のボタンをクリックすることにより、外部装置１０１にメッセージを送信することができる。メッセージとアイディーは第一通信プロトコルに合うように包装され、かつ第一データ通信モジュール２１に送信される。第一データ通信モジュール２１は包装されたメッセージを解凍した後、ＵＡＲＴ２３０によって該メッセージを第二データ通信モジュール２２に送信する。その後、第二データ通信モジュール２２はメッセージを外部装置１０１に送信する。これにより外部装置１０１と端末装置１０３との間の交流を実現することができる。
【００４５】
上述したとおり、本発明の第二実施例に係る知能型サイクリング装置の無線通信方法は、色々な通信プロトコルを用意することにより一個の無線通信装置と複数個の外部装置との間の通信を実現することができ、無線接続の利便性を向上させ、端末装置側の管理を簡単にし、端末装置の電気消耗を低減することができる。
【００４６】
以上、本発明の技術的事項を好適な実施例により詳述してきたが、上述した実施例は本発明の例示にしか過ぎないものであるため、本発明は上述した実施例の構成にのみ限定されるものではない。本発明の技術分野の技術者は、本発明の要旨を逸脱しない範囲において、設計の変更等をすることができ、かつこのような設計の変更等があっても本発明に含まれることは勿論である。すなわち、本発明の保護範囲は後述する特許請求の範囲が定めたことを基準とする。
【図１】
2018061222.tif 000003
【図２】
2018061222.tif 000004
【図３】
2018061222.tif 000005
【図４】
2018061222.tif 000006
【図５】
2018061222.tif 000007